(57)【特許請求の範囲】
【請求項１】
毛髪用化粧料セットであって、
それぞれ個別に収容用容器に収容された複数の液状またはクリーム状の剤であって、互いに混合されると自己発泡して泡状の毛髪用化粧料となる複数の剤と、
混合用容器と、
前記収容用容器から前記混合用容器内に移された前記複数の剤を混合するための平板状の器具と、を備え、
前記複数の剤には、炭酸塩を含む第１の剤と、炭酸塩を分解する酸を含む前記第１の剤とは異なる第２の剤と、が含まれる、毛髪用化粧料セット。
【請求項２】
請求項１に記載の毛髪用化粧料セットであって、
前記平板状の器具は、保持される保持部と前記複数の剤を混合するための混合部とを有する、毛髪用化粧料セット。
【請求項３】
請求項２に記載の毛髪用化粧料セットであって、
前記混合部は、前記混合部を厚さ方向に貫通する１つ以上の孔が形成されている、毛髪用化粧料セット。
【請求項４】
請求項１から請求項３までのいずれか一項に記載の毛髪用化粧料セットであって、
前記混合部の先端近辺の外縁に沿って、前記混合部の厚さ方向に突出した凸部が形成されている、毛髪用化粧料セット。
【請求項５】
毛髪用化粧料の生成方法であって、
（ａ）それぞれ個別に収容用容器に収容された複数の液状またはクリーム状の剤であって、互いに混合されると自己発泡して泡状の毛髪用化粧料となる複数の剤を準備する工程と、
（ｂ）前記複数の剤を前記収容用容器から混合用容器内に移す工程と、
（ｃ）前記混合用容器内に移された前記複数の剤を平板状の器具を用いて混合することにより前記毛髪用化粧料を生成する工程と、を備え、
前記複数の剤には、炭酸塩を含む第１の剤と、炭酸塩を分解する酸を含む前記第１の剤とは異なる第２の剤と、が含まれる、頭髪化粧品の生成方法。
【請求項６】
請求項５に記載の毛髪用化粧料の生成方法であって、
前記平板状の器具は、保持される保持部と前記複数の剤を混合するための混合部とを有する、毛髪用化粧料の生成方法。
【請求項７】
請求項６に記載の毛髪用化粧料の生成方法であって、
前記混合部は、前記混合部を厚さ方向に貫通する１つ以上の孔が形成されている、毛髪用化粧料の生成方法。
【請求項８】
請求項５から請求項７までのいずれか一項に記載の毛髪用化粧料の生成方法であって、
前記混合部の先端近辺の外縁に沿って、前記混合部の厚さ方向に突出した凸部が形成されている、毛髪用化粧料の生成方法。
【発明の詳細な説明】
【技術分野】
【０００１】
本発明は、毛髪用化粧料セットおよび毛髪用化粧料の生成方法に関し、特に、互いに混合されると自己発泡して泡状の毛髪用化粧料となる複数剤を含む毛髪用化粧料セットおよび毛髪用化粧料セットを用いた毛髪用化粧料の生成方法に関する。
【背景技術】
【０００２】
液状またはクリーム状の２つの剤をヘラ等の器具で混合して使用する非泡状の二剤式毛髪用化粧料（染毛剤または脱色剤）が知られている。非泡状の毛髪用化粧料は、毛髪への塗布のしやすさの点で向上の余地がある。
【０００３】
毛髪用化粧料を毛髪に塗布しやすい泡状とするために、２つの剤を混合して噴射剤により泡状の毛髪用化粧料にするエアゾール型の毛髪用化粧料や、２つの剤を特殊なフォーマー容器に入れてフォーマー容器の機能により泡状の毛髪用化粧料にするフォーマー容器型の毛髪用化粧料が知られている（例えば特許文献１参照）。
【０００４】
エアゾール型毛髪用化粧料は、噴射剤の使用を伴うために耐圧容器の腐食や内圧の上昇の恐れがあると共に、使用後の容器を廃棄しづらいといった課題を有する。また、フォーマー容器型毛髪用化粧料は、フォーマー容器の特性上、細かい泡状の毛髪用化粧料を得ることが難しい上に、泡状とすることができる毛髪用化粧料の粘度の上限が比較的低いために使用時のたれ落ちが発生しやすいといった課題を有する。
【０００５】
２つの剤を容器に入れて振ることにより剤中に含まれる多量の活性剤を作用させて空気をかませ、泡状の毛髪用化粧料を生成する振とう型の毛髪用化粧料が知られている。振とう型の毛髪用化粧料は、剤に含まれる活性剤の作用を利用しているため、特殊な容器や噴射剤を使用することなく泡状の毛髪用化粧料を得ることができる。
【先行技術文献】
【特許文献】
【０００６】
【特許文献１】特開２００９−１４９３２５号公報
【発明の概要】
【発明が解決しようとする課題】
【０００７】
しかし、振とう型の毛髪用化粧料は、振とうに大きな労力を要するため、使い勝手の点で向上の余地があった。また、振とう型の毛髪用化粧料は、容器の内部における剤の混合により泡状の毛髪用化粧料が生成されるため、演出性の点でも向上の余地があった。なお、このような課題は、２つの剤に限らず、複数剤を混合して泡状の毛髪用化粧料を得る場合に共通の課題であった。
【０００８】
本発明は、上述の課題を解決するためになされたものであり、互いに混合されると自己発泡して泡状の毛髪用化粧料となる複数剤を混合する際に、使用者の労力を低減すると共に演出性を向上させることを目的とする。本発明の一形態は、毛髪用化粧料セットであって；それぞれ個別に収容用容器に収容された複数の液状またはクリーム状の剤であって、互いに混合されると自己発泡して泡状の毛髪用化粧料となる複数の剤と；混合用容器と；前記収容用容器から前記混合用容器内に移された前記複数の剤を混合するための平板状の器具と、を備え；前記複数の剤には、炭酸塩を含む第１の剤と、炭酸塩を分解する酸を含む前記第１の剤とは異なる第２の剤と、が含まれる。このような形態であれば、使用者は、混合用の器具を用いて混合用容器内に移された複数の剤をかき混ぜるという簡単な作業を行うだけで、泡状の毛髪用化粧料を得ることができる。そのため、この毛髪用化粧料セットは、泡状の毛髪用化粧料を得る際の労力を低減することができる。また、この毛髪用化粧料セットでは、複数剤が混合されることにより気泡が発生し、複数剤が泡状の毛髪用化粧料となる様子を使用者が観察することができるため、演出性を向上させることができる。
【課題を解決するための手段】
【０００９】
上記課題の少なくとも一部を解決するために、本発明は、以下の形態または適用例として実現することが可能である。
【００１０】
［適用例１］毛髪用化粧料セットであって、
それぞれ個別に収容用容器に収容された複数の剤であって、互いに混合されると自己発泡して泡状の毛髪用化粧料となる複数の剤と、
混合用容器と、
前記収容用容器から前記混合用容器内に移された前記複数の剤を混合するための平板状の器具と、を備える、毛髪用化粧料セット。
【００１１】
この毛髪用化粧料セットは、それぞれ個別に収容用容器に収容された複数の剤であって、互いに混合されると自己発泡して泡状の毛髪用化粧料となる複数の剤と、混合用容器と、収容用容器から混合用容器内に移された複数の剤を混合するための平板状の器具と、を備える。使用者は、混合用の器具を用いて混合用容器内に移された複数の剤をかき混ぜるという簡単な作業を行うだけで、泡状の毛髪用化粧料を得ることができる。そのため、この毛髪用化粧料セットは、泡状の毛髪用化粧料を得る際の労力を低減することができる。また、この毛髪用化粧料セットでは、複数剤が混合されることにより気泡が発生し、複数剤が泡状の毛髪用化粧料となる様子を使用者が観察することができるため、演出性を向上させることができる。
【００１２】
［適用例２］毛髪用化粧料の生成方法であって、
（ａ）それぞれ個別に収容用容器に収容された複数の剤であって、互いに混合されると自己発泡して泡状の毛髪用化粧料となる複数の剤を準備する工程と、
（ｂ）前記複数の剤を前記収容用容器から混合用容器内に移す工程と、
（ｃ）前記混合用容器内に移された前記複数の剤を平板状の器具を用いて混合することにより前記毛髪用化粧料を生成する工程と、を備える、頭髪化粧品の生成方法。
【００１３】
この方法では、それぞれ個別に収容用容器に収容された複数の剤であって、互いに混合されると自己発泡して泡状の毛髪用化粧料となる複数の剤が、収容用容器から混合用容器内に移され、混合用容器内に移された複数の剤を平板状の器具を用いて混合することにより毛髪用化粧料が生成される。そのため、この方法では、混合用の器具を用いて混合用容器内に移された複数の剤をかき混ぜるという簡単な作業を行うだけで、泡状の毛髪用化粧料を得ることができる。従って、この方法は、泡状の毛髪用化粧料を得る際の労力を低減することができる。また、この方法では、複数剤が混合されることにより気泡が発生し、複数剤が泡状の毛髪用化粧料となる様子を観察することができるため、演出性を向上させることができる。
【００１４】
なお、本発明は、種々の態様で実現することが可能であり、例えば、毛髪用化粧料のための器具、この器具を含む毛髪用化粧料セット、この器具または毛髪用化粧料セットを用いた毛髪用化粧料の生成方法、等の形態で実現することができる。
【図面の簡単な説明】
【００１５】
【図１】本発明の実施例における毛髪用化粧料セット１０の構成を概略的に示す説明図である。
【図２】毛髪用化粧料セット１０を用いた毛髪用化粧料生成処理の流れを示すフローチャートである。
【図３】毛髪用化粧料セット１０を用いた毛髪用化粧料生成処理の概要を示す説明図である。
【図４】毛髪用化粧料セット１０を用いた毛髪用化粧料生成処理の概要を示す説明図である。
【図５】混合用器具２００の詳細構成を示す説明図である。
【図６】混合用器具２００の詳細構成を示す説明図である。
【図７】混合用器具２００の詳細構成を示す説明図である。
【図８】混合用器具２００の詳細構成を示す説明図である。
【図９】混合用器具２００の詳細構成を示す説明図である。
【図１０】混合用器具２００の詳細構成を示す説明図である。
【図１１】混合用器具２００の詳細構成を示す説明図である。
【図１２】混合用器具２００の詳細構成を示す説明図である。
【発明を実施するための形態】
【００１６】
次に、本発明の実施の形態を実施例に基づいて以下の順序で説明する。
Ａ．実施例：
Ａ−１．毛髪用化粧料セットの構成：
Ａ−２．毛髪用化粧料生成処理：
Ａ−３．混合用器具の詳細構成：
Ｂ．変形例：
【００１７】
Ａ．実施例：
Ａ−１．毛髪用化粧料セットの構成：
図１は、本発明の実施例における毛髪用化粧料セット１０の構成を概略的に示す説明図である。毛髪用化粧料セット１０は、混合用容器１００と、混合用器具２００と、第１の剤３００と、第２の剤４００と、を含んでいる。
【００１８】
第１の剤３００および第２の剤４００は、それぞれ個別に収容容器（例えばチューブ状の容器）に収容された液状またはクリーム状の剤である。第１の剤３００および第２の剤４００の組成は、互いに混合されたときに毛髪用化粧料（染毛剤または脱色剤）となるように設定されている。また、第１の剤３００は、成分として炭酸塩（例えば重曹）を含んでおり、第２の剤４００は、成分として炭酸塩を分解する酸を含んでいる。そのため、第１の剤３００と第２の剤４００とを混合すると、第１の剤３００に含まれる炭酸塩と第２の剤４００に含まれる酸とが反応して、気泡（二酸化炭素）が発生する。
【００１９】
混合用容器１００は、第１の剤３００と第２の剤４００とを混合する際に収容するコップ状の容器であり、樹脂（例えばＰＰ）により形成されている。混合用器具２００は、混合用容器１００に収容された第１の剤３００および第２の剤４００を混合するための平板状（ヘラ状）の器具であり、樹脂（例えばＰＰ）により形成されている。混合用器具２００の構成については後に詳述する。
【００２０】
Ａ−２．毛髪用化粧料生成処理：
図２は、毛髪用化粧料セット１０を用いた毛髪用化粧料生成処理の流れを示すフローチャートである。また、図３および図４は、毛髪用化粧料セット１０を用いた毛髪用化粧料生成処理の概要を示す説明図である。
【００２１】
最初に、図１に示すように、混合用容器１００と混合用器具２００と第１の剤３００と第２の剤４００とを含む毛髪用化粧料セット１０が準備される（ステップＳ１１０）。次に、第１の剤３００および第２の剤４００が、収容容器から混合用容器１００内に移される（ステップＳ１２０）。図３には、第１の剤３００および第２の剤４００が、収容容器から混合用容器１００内に移される様子を示している。
【００２２】
次に、混合用容器１００内に移された第１の剤３００および第２の剤４００が、混合用器具２００を用いて混合される（ステップＳ１３０）。図３には、第１の剤３００および第２の剤４００が、混合用器具２００を用いて混合される様子を示している。混合用器具２００を用いて第１の剤３００および第２の剤４００が混合されると、第１の剤３００に含まれる炭酸塩と第２の剤４００に含まれる酸とが反応して、気泡（二酸化炭素）が発生する。これにより、混合用容器１００内において泡状の毛髪用化粧料が生成される。図４には、混合用容器１００内に泡状の毛髪用化粧料ＦＯが生成された様子を示している。なお、図４に示すように、混合用器具２００は、混合用容器１００内に生成された泡状の毛髪用化粧料ＦＯをすくい取るための器具としても使用される。使用者は、混合用器具２００を用いて毛髪用化粧料ＦＯをすくい取り、混合用器具２００上の毛髪用化粧料ＦＯを手にとって毛髪に塗布する。
【００２３】
以上説明したように、本実施例の毛髪用化粧料セット１０を用いた毛髪用化粧料生成処理では、互いに混合されると自己発泡して泡状の毛髪用化粧料となる複数剤を混合することによって、特殊な容器や噴射剤を使用することなく泡状の毛髪用化粧料を得ることができる。このとき、使用者は、剤を収容した容器を振とうしたりする作業を行う必要はなく、混合用器具２００を用いて混合用容器１００内に収容された第１の剤３００および第２の剤４００をかき混ぜるという簡単な作業を行うだけでよい。また、本実施例の毛髪用化粧料セット１０を用いた毛髪用化粧料生成処理では、複数剤が混合されることにより気泡が発生し、液状またはクリーム状であった複数剤が徐々に泡状の毛髪用化粧料ＦＯとなる様子を使用者が観察することができるため、演出性（楽しさ、わくわく感）を向上させることができる。
【００２４】
Ａ−３．混合用器具の詳細構成：
図５ないし図１２は、混合用器具２００の詳細構成を示す説明図である。図５は、混合用器具２００の正面図であり、図６は、混合用器具２００の右側面図であり、図７は、混合用器具２００の底面図であり、図８は、混合用器具２００の平面図である。なお、混合用器具２００の背面図は図５と同様であり、混合用器具２００の左側面図は図６と同様である。また、図９は、図５のＡ−Ａの位置における横断面図であり、図１０は、図５のＢ−Ｂの位置における横断面図である。また、図１１は、図１０のＸ部を拡大して示す拡大断面図である。また、図１２は、混合用器具２００の形状と混合用容器１００の形状との関係を示す説明図である。
【００２５】
図５および図６に示すように、混合用器具２００は、平板形状の平板部２１０を備えている。平板部２１０の厚さｔ０は全体にわたって略一定であり、例えば２ｍｍである。平板部２１０の正面視外形は、しゃもじのような（ボーリングのピンの縦断面のような）形状である。すなわち、平板部２１０の正面視外形は、幅ｗｔの先端部ＴＰと幅ｗｔより小さい幅ｗｂの後端部ＢＰとを、くびれた形状の中間部ＩＰが連結するような形状である。なお、先端部ＴＰの幅ｗｔは例えば４０ｍｍであり、後端部ＢＰの幅ｗｂは例えば２５ｍｍであり、中間部ＩＰの最も狭い部分の幅は例えば２０ｍｍである。また、混合用器具２００の高さは、例えば１７０ｍｍである。
【００２６】
図５、図１０および図１１に示すように、平板部２１０の先端部ＴＰ近辺には、平板部２１０を厚さ方向に貫通する複数の円形の孔２４０が形成されている。孔２４０の個数は例えば２９個であり、各孔２４０の直径は例えば５ｍｍである。なお、各孔２４０は、その直径が平板部２１０の正面側および背面側において異なる形状（すなわち、孔２４０の内部側面が傾斜している形状）であるとしてもよい。その場合に、各孔２４０の直径は、例えば平板部２１０の正面側において５ｍｍであり、背面側において例えば４．９ｍｍである。
【００２７】
また、図１１に示すように、各孔２４０の周りには、第１の凸部２４２が形成されている。第１の凸部２４２は、平板部２１０の正面側および背面側の表面から厚さ方向に突出した凸型形状の部分である。各第１の凸部２４２の正面視形状は、各孔２４０を取り囲むようなリング形状である（図５参照）。
【００２８】
各第１の凸部２４２の位置における混合用器具２００の厚さｔｃは、例えば３ｍｍである。従って、各第１の凸部２４２の平板部２１０表面からの突出量は、例えば０．５ｍｍである。また、各第１の凸部２４２の幅（図１１に示す断面における横方向の長さ）は、例えば０．５ｍｍである。なお、各第１の凸部２４２は、平板部２１０の表面から遠い位置ほど幅が小さくなるように外側の面が傾斜を有する形状であるとしてもよい。また、各第１の凸部２４２の先端外側角が曲面形状であるとしてもよい。
【００２９】
図５、図６、図７および図８に示すように、平板部２１０の外縁に沿って、第２の凸部２２０が形成されている。第２の凸部２２０は、平板部２１０の正面側および背面側の表面から厚さ方向に突出した凸型形状の部分である。第２の凸部２２０の正面視形状は、平板部２１０の外縁を一周囲むような形状である。
【００３０】
第２の凸部２２０の位置における混合用器具２００の厚さは、混合用器具２００の最先端部ＭＴＰと残りの部分（以下、「通常部」とも呼ぶ））とで異なっている。ここで、最先端部ＭＴＰは、先端部ＴＰの内の最も先端側の一部である。混合用器具２００の通常部の第２の凸部２２０の位置における厚さｔｂ（図６，８参照）は、略一定であり、例えば３ｍｍである。一方、混合用器具２００の最先端部ＭＴＰの第２の凸部２２０の位置における厚さは、平板部２１０の先端に近い位置ほど大きい（図６参照）。すなわち、第２の凸部２２０は、平板部２１０の先端に近い位置ほど厚さ方向への突出量が大きい形状に形成されている。混合用器具２００の第２の凸部２２０の位置における最大厚さｔｔは、例えば１０ｍｍである。
【００３１】
図５および図９に示すように、平板部２１０の後端部ＢＰおよび中間部ＩＰに掛けて、第３の凸部２３０が形成されている。第３の凸部２３０は、平板部２１０の正面側および背面側の表面から厚さ方向に突出した凸型形状の部分である。第３の凸部２３０の正面視形状は、第２の凸部２２０と並行するような線状形状である。第３の凸部２３０の線幅は、例えば３ｍｍである。また、第３の凸部２３０の位置における混合用器具２００の厚さは、例えば３ｍｍである。
【００３２】
また、図５および図９に示すように、平板部２１０の中間部ＩＰの幅方向中心付近には、２つの第４の凸部２５０が形成されている。第４の凸部２５０は、平板部２１０の正面側および背面側の表面から厚さ方向に突出した凸型形状の部分である。２つの第４の凸部２５０は、互いに平行な直線状形状である。第４の凸部２５０の線幅は、例えば２ｍｍである。また、第４の凸部２５０の位置における混合用器具２００の厚さは、例えば３ｍｍである。
【００３３】
図１２に示すように、混合用器具２００の平板部２１０の先端近辺の外縁の縦断面形状は、混合用容器１００の内側の底面の少なくとも一部から側面の少なくとも一部までの部分の縦断面形状と同一である。すなわち、混合用容器１００および混合用器具２００の形状は、混合用器具２００を略垂直の状態で混合用容器１００内部に挿入し、混合用器具２００の先端が混合用容器１００の底面に密着した状態で混合用器具２００を平板部２１０の面方向に沿って移動させると、混合用器具２００の先端近辺のコーナー部分が混合用容器１００内部のコーナー部分と密着するような形状である。
【００３４】
以上説明したように、本実施例の混合用器具２００は、平板形状の平板部２１０を有するため、第１の剤３００および第２の剤４００を混合する際に、２つの剤を容器に入れて振ることにより混合する場合やスプーンのような凹凸形状の器具を用いて混合する場合と比較して、効率よく混合を行うことができる。また、本実施例の混合用器具２００は、平板部２１０の先端近辺に平板部２１０を厚さ方向に貫通する複数の孔２４０が形成されているため、混合の際に剤が孔２４０を通過することとなる。そのため、本実施例の混合用器具２００は、混合の効率をさらに高めることができると共に、生成された泡のつぶれを抑制することができ、粘度のある複数剤を容易にきめ細かい泡状にすることができる。従って、本実施例の混合用器具２００は、互いに混合されると自己発泡して泡状の毛髪用化粧料となる複数剤を混合する際に、混合効率を向上させることができると共に泡のムラを抑制することができる。泡のムラが抑制されると、脱色ムラ・染毛ムラが抑制されるため、好ましい。
【００３５】
また、本実施例の混合用器具２００は、各孔２４０の周りに、平板部２１０の厚さ方向に突出した第１の凸部２４２が形成されているため、生成された泡状の毛髪用化粧料ＦＯをすくい取る際の垂れを抑制することができ、使い勝手を向上させることができる。
【００３６】
また、本実施例の混合用器具２００は、平板部２１０の先端近辺の外縁に沿って、平板部２１０の厚さ方向に突出した第２の凸部２２０が形成されているため、生成された泡状の毛髪用化粧料ＦＯを効率良くすくい取ることができると共に、垂れをさらに抑制することができ、使い勝手をさらに向上させることができる。また、本実施例の混合用器具２００では、第２の凸部２２０が、平板部２１０の先端に近い位置ほど厚さ方向への突出量が大きい形状に形成されているため、毛髪用化粧料ＦＯをさらに効率良くすくい取ることができると共に、垂れをさらに抑制することができ、使い勝手をさらに向上させることができる。
【００３７】
また、本実施例の混合用器具２００は、平板部２１０の先端近辺の外縁の縦断面形状が、混合用容器１００の内側の底面の少なくとも一部から側面の少なくとも一部までの部分の縦断面形状と同一であるため、混合用器具２００の先端近辺のコーナー部分が混合用容器１００内部のコーナー部分と密着し、毛髪用化粧料ＦＯを効率良く、かつ、無駄なくすくい取ることができ、使い勝手をさらに向上させることができる。
【００３８】
Ｂ．変形例：
なお、この発明は上記の実施例や実施形態に限られるものではなく、その要旨を逸脱しない範囲において種々の態様において実施することが可能であり、例えば次のような変形も可能である。
【００３９】
上記実施例における毛髪用化粧料セット１０の構成は、あくまで一例であり、種々変形可能である。例えば、毛髪用化粧料セット１０は、第１の剤３００と第２の剤４００とに加えて、１つまたは２つ以上の他の剤を含むとしてもよい。この場合にも、混合用容器１００に収容されたすべての剤を混合用器具２００を用いて混合することにより、泡状の毛髪用化粧料が生成される。
【００４０】
また、上記実施例では、混合用容器１００および混合用器具２００は樹脂製であるとしているが、混合用容器１００および／または混合用器具２００は他の材料製（例えば金属製）であるとしてもよい。
【００４１】
また、上記実施例における混合用器具２００の構成は、あくまで一例であり、種々変形可能である。例えば、混合用器具２００の平板部２１０に形成された孔２４０の数や径は、適宜変形可能である。また、孔２４０の形状は円形である必要はなく、楕円形や多角形であってもよい。
【００４２】
また、孔２４０の周りに形成される第１の凸部２４２は、平板部２１０の一方の側（例えば正面側）のみに形成されているとしてもよい。また、複数の孔２４０の内の一部の孔２４０の周りにのみ第１の凸部２４２が形成されているとしてもよい。また、第１の凸部２４２は、孔２４０の外周全周にわたって形成されている必要はなく、孔２４０の外周の一部のみに沿って形成されているとしてもよい。すなわち、孔２４０の周りとは、孔２４０の外周全周の内の少なくとも一部を意味する。
【００４３】
また、平板部２１０の外縁に形成される第２の凸部２２０は、平板部２１０の一方の側（例えば正面側）のみに形成されているとしてもよい。また、第２の凸部２２０は、平板部２１０の外周全周にわたって形成されている必要はなく、最先端部ＭＴＰ近辺のみに形成されているとしてもよい。また、第２の凸部２２０の突出量は、平板部２１０の外周全周にわたって同一であるとしてもよい。
【００４４】
また、混合用器具２００において、第１の凸部２４２や第２の凸部２２０、第３の凸部２３０は、必ずしも形成されている必要はない。
【符号の説明】
【００４５】
１０…毛髪用化粧料セット
１００…混合用容器
２００…混合用器具
２１０…平板部
２２０…第２の凸部
２３０…第３の凸部
２４０…孔
２４２…第１の凸部
２５０…第４の凸部
３００…第１の剤
４００…第２の剤
【図１】
0005946601.tif 000002
【図２】
0005946601.tif 000003
【図３】
0005946601.tif 000004
【図４】
0005946601.tif 000005
【図５】
0005946601.tif 000006
【図６】
0005946601.tif 000007
【図７】
0005946601.tif 000008
【図８】
0005946601.tif 000009
【図９】
0005946601.tif 000010
【図１０】
0005946601.tif 000011
【図１１】
0005946601.tif 000012
【図１２】
0005946601.tif 000013